(57)【特許請求の範囲】
【請求項１】
ハッチ枠に閉塞位置と開放位置との間で垂直回転自在に連結される上蓋と、
ハッチ枠に閉塞位置と開放位置との間で垂直回転自在に連結されるとともに、ハッチ枠に対して前記上蓋から独立して閉塞位置から開放位置へと回転可能な下蓋と、
前記下蓋を開放位置に保持させ、かつ上蓋を閉塞位置から開放位置へと回転させることに伴う下蓋と上蓋との相対変位により、上蓋から下蓋に駆動力を伝達不能な伝達不能姿勢から伝達可能姿勢に変化し、該伝達可能姿勢において閉塞位置へと回転操作される上蓋に連動して閉塞位置に移動する駆動力を上蓋から下蓋に伝達可能に上蓋と下蓋を連結する連結部とを有する避難ハッチ。
【請求項２】
前記連結部は、上蓋と下蓋の双方が閉塞位置をとるときに、開放位置へと回転操作される上蓋に連動して開放位置に移動する駆動力を上蓋から下蓋に伝達可能に上蓋と下蓋を連結する請求項１記載の避難ハッチ。
【請求項３】
前記連結部は上蓋と下蓋の間に介装されるリンク機構からなり、
該リンク機構は、下蓋への係止状態において上蓋への回転操作力を下蓋に回転駆動力として伝達し、下蓋に配置された操作部の操作により下蓋と係止解除されて上蓋から下蓋への回転駆動力の伝達を遮断するとともに、下蓋が開放位置をとるときの上蓋の閉塞位置から開放位置への回転駆動により下蓋との係止状態に復帰する係止部を有する請求項１または２記載の避難ハッチ。
【請求項４】
前記下蓋を閉塞位置側に付勢して下蓋の上蓋から独立した自重による閉塞位置から開放位置への回転移動速度を減速可能なねじりバネを有し、
前記リンク機構は、複数のリンクを接合ピンにより垂直回転自在に連結して形成され、該接合ピンの長手方向に移動可能で、接合ピン長手方向への移動により前記係止部を下蓋に対して係止解除可能にされ、
かつ、前記ねじりバネは、前記リンク機構を係止部の下蓋との係止が維持される方向に付勢する圧縮バネを兼ねる請求項３記載の避難ハッチ。
【請求項５】
前記下蓋には、リンク機構においてリンク同士を回転自在に連結する接合ピンを回転自在に挿入可能なピン挿入孔が穿孔され、
前記接合ピンの先端には、上蓋の開放位置への回転に伴う前記リンク機構の揺動により、開放位置をとる下蓋に対して衝接して前記ピン挿入孔に接合ピンを挿入可能な退避位置まで前記リンク機構を押動する分力を生じさせる傾斜面が形成される請求項３または４記載の避難ハッチ。
【発明の詳細な説明】
【技術分野】
【０００１】
本発明は避難ハッチに関するものである。
【背景技術】
【０００２】
避難ハッチは、従来、例えば特許文献１に記載されるように、枠状のハッチ函体（ハッチ枠）に上蓋と下蓋をそれぞれ垂直回転自在に枢支させて不使用時に上下から閉塞され、また、上蓋と下蓋を連動して開閉させるためのリンク機構を備えたものがある。また、上記特許文献１において指摘するように、避難ハッチには、被災者の上階から下階への避難のみならず、救助者の下階から上階への進入を可能にするために、下階側からの開放操作を確保することも求められる。
【０００３】
しかしながら、上述したように不使用時において閉塞されていることにより、上蓋の上に物を置かれやすく、これにより上蓋が重くなることで上述したリンク機構の作用によって下階側からの開放操作が困難になってしまう。
【０００４】
特に、例えば特許文献１に記載されるように、ハッチ函体に対して上蓋が一端縁において枢支され、かつ、上蓋のリンク機構との連結位置が、上蓋のハッチ函体に対する回転基端と回転先端との中間部である場合において、上述した物が上蓋の回転先端側に置かれていると、テコが作用して下階側からの下蓋の開放操作が極めて困難になる。
【０００５】
この点、特許文献１においては、ハッチ函体に対して下蓋に隣接して垂直回転自在に側板を枢支させ、この側板に上述したリンク機構を連結するとともに、下階側から操作可能なロック機構を設けて側板に対して下蓋を着脱自在に連結する。これによりリンク機構と下蓋とが側板を介して連結され、下階側からロック機構を解除操作することにより、リンク機構と下蓋との連結が解除されて下蓋を上蓋と連動させずに開放することができる。
【先行技術文献】
【特許文献】
【０００６】
【特許文献１】特開平１０-１２７７９６号公報
【発明の開示】
【発明が解決しようとする課題】
【０００７】
しかしながら、上述した従来例においては保守点検や避難訓練などで多大な手間がかかってしまうという欠点がある。
【０００８】
すなわち、保守点検等において上述したようにリンク機構との連結を解除して下蓋を開放してしまうと、保守点検等の終了後に下蓋を閉じるには、下蓋を下階側から閉塞位置まで持ち上げるなどした上で、そのまま下蓋を閉塞位置に支えつつ、下階側からロック機構のロック操作をしなければならず、多大な手間がかかってしまう。特に避難ハッチの下階側での設置高さが高いときには極めて多大な手間がかかってしまう。
【０００９】
本発明は以上の欠点を解消すべくなされたものであって、下蓋の開閉操作性が良好な避難ハッチの提供を目的とする。
【課題を解決するための手段】
【００１０】
本発明によれば上述した目的は、
ハッチ枠１に閉塞位置と開放位置との間で垂直回転自在に連結される上蓋２と、
ハッチ枠１に閉塞位置と開放位置との間で垂直回転自在に連結されるとともに、ハッチ枠１に対して前記上蓋２から独立して閉塞位置から開放位置へと回転可能な下蓋３と、
前記下蓋３を開放位置に保持させ、かつ上蓋２を閉塞位置から開放位置へと回転させることに伴う下蓋３と上蓋２との相対変位により、上蓋２から下蓋３に駆動力を伝達不能な伝達不能姿勢から伝達可能姿勢に変化し、該伝達可能姿勢において閉塞位置へと回転操作される上蓋２に連動して閉塞位置に移動する駆動力を上蓋２から下蓋３に伝達可能に上蓋２と下蓋３を連結する連結部４とを有する避難ハッチを提供することにより達成される。
【００１１】
本発明によれば、避難ハッチは、ハッチ枠１内の避難口を上蓋２と下蓋３で上下階から閉塞可能にされて不使用時における外観が向上されるとともに、上階からの不測の転落事故を防止する。また、下蓋３はハッチ枠１に対して上蓋２から独立して閉塞位置から開放位置へと回転可能にされ、このため、閉じている上蓋２の上に誤って物が置かれていても、下階側から下蓋３を容易に開放することができる。下蓋３が開放されれば、上に物が置かれるなどして上蓋２が重くなっていても、直接強い力を加えることで上蓋２を押し開けたり、こじ開けたりすることが可能になる。
【００１２】
連結部４は、以上のようにして下蓋３が開放されて開放位置をとるときに、上蓋２がさらに開放操作されると、上蓋２から下蓋３に駆動力を伝達不能な伝達不能姿勢から伝達可能姿勢に変化し、該伝達可能姿勢において閉塞位置へと回転操作される上蓋２に連動して閉塞位置に移動する駆動力を上蓋２から下蓋３に伝達可能に上蓋２と下蓋３を連結する。したがって本発明によれば、下階から上階への進入時の動作状況を保守点検等する場合において、下蓋３、上蓋２を順に開放させれば、保守点検等の終了後には上階において上蓋２を閉塞操作することにより、連結部４を介して下蓋３をも容易に閉じることができる。
【００１３】
上記連結部４は、例えば上述した従来例におけるリンク機構など、上蓋２への閉塞位置と開放位置との間の回転操作力を下蓋３に閉塞位置と回転位置との間の回転駆動力として伝達可能な適宜の駆動力伝達手段を利用して構成することができる。この駆動力伝達手段は、上蓋２に対する操作力のみを下蓋３に対して駆動力として伝達可能で、下蓋３への操作力を上蓋２に伝達不能な一方向（ワンウェイ）にのみ機能できるものでも、あるいは上蓋２と下蓋３のいずれか一方への操作力を他方に駆動力として伝達する双方向に機能できるものでも足りるが、双方向に機能できるものの場合には、少なくとも下蓋３の閉塞位置から開放位置への移動に際して駆動力の伝達を遮断することで、上述した上蓋２から独立した下蓋３の開放動作を確保することができる。また、この遮断状態が上蓋２を開放したときに解除されれば、下蓋３の良好な閉塞操作を確保することができる。
【００１４】
また、以上の連結部４により、上蓋２と下蓋３の双方が閉塞しているときに、上蓋２の開放操作力を下蓋３に閉塞位置から開放位置への駆動力として伝達できるようにした、すなわち連結部４によって下蓋３を上蓋２に連動して開放駆動可能にした場合には、上階からの下階への迅速な避難が可能になる。
【００１５】
さらに、連結部４は、上述したようにリンク機構を利用して構成することが可能で、具体的には、リンク機構４を上蓋２と下蓋３の間に介装して構成することができる。このようにリンク機構４を用いた場合において、上述したように駆動力の遮断状態を解除するには、リンク機構４の揺動動作を利用することができる。
【００１６】
すなわち、リンク機構４はリンク７が接合ピン８を中心にした回転軌跡上を通ることから、例えばリンク７に係止部５を設け、この係止部５の回転軌跡上において下蓋３に被係止部を設ければ、リンク機構４の揺動によって係止部５を被係止部に係止させることができる。より具体的には例えば、上蓋２と下蓋３にリンク機構４を駆動力が伝達できない程の可動域の自由度などを与えて予め連結しておいた上で、リンク機構４内で上蓋２の開放動作に伴って揺動するリンク７に係止部５を形成しておくとともに、下蓋３に被係止部を形成しておき、係止部５の被係止部への係止によっての可動域を制限して上下蓋３間で駆動力を伝達させるようにすることが可能である。
【００１７】
また、以上のようなリンク機構４を用いた場合、例えば下蓋３側からの操作が可能な操作部を設け、該操作部によってリンク７を操作して係止部５と被係止部を係止解除できるようにすれば、下蓋３を上蓋２から独立して下階側から開放できる。また、このように係止解除操作できるようにした場合、妄りに係止解除してしまわないように、リンク７や操作部を非操作状態、言い換えれば係止部５と被係止部の係止が維持される位置に保持させ、あるいは係止部５と被係止部の係止が維持される方向に付勢する係止維持手段を設けることが望ましい。一方、上述したように下蓋３を上蓋２から独立して開放できるようにした場合には、下蓋３の開放位置への移動速度を減速可能なダンパーを設けるのが望ましい。この場合において、上記ダンパーとしてねじりバネ６を用い、上述した係止部５と被係止部との係止が維持される方向をリンク機構４においてリンク７、７同士を垂直回転自在に連結する接合ピン８の長手方向に一致させ、上記ねじりバネ６を圧縮バネとしても作用させて係止維持手段に活用すれば、構造をより簡潔にすることができる。
【００１８】
なお、下蓋３の重量によってはダンパーに比較的大きな付勢力が要求される場合があるが、この場合には上述したねじりバネ６について、他の付勢手段の付勢力を補ってダンパーの緩衝性を良好に機能させるものとして利用しても足りる。
【００１９】
また、上述したようにリンク７に係止部５を設け、下蓋３に被係止部を設ける場合には、係止部５としてリンク７同士を回転自在に連結する接合ピン８を、被係止部として下蓋３に穿孔されて上記接合ピン８を回転自在に挿入可能なピン挿入孔９を用いることができる。この場合において、上記接合ピン８の先端に、上蓋２の開放位置への回転に伴うリンク７同士の揺動により、開放位置をとる下蓋３に対して衝接して上記ピン挿入孔９に接合ピン８を挿入可能な退避位置までリンク７同士を押動する分力を生じさせる傾斜面１０を形成した場合には、上蓋２を開放位置へと回転操作するだけで接合ピン８をピン挿入孔９に挿入させることができる。
【００２０】
なお、連結部４は、上述したリンク機構４以外にも、例えば、カム構造などによって構成することも可能である。この場合、下蓋３の上蓋２との連動状態への復帰は、カム構造に弾性体を組み合わせるなどして、上蓋２の閉塞位置から開放位置への回転に伴って弾性体によりカム同士が動力を伝達する噛み合い位置に移動するようにすれば足りる。また、連結部４による連動状態の解除、復帰は、例えば下蓋３とリンク機構４等のいずれか一方に形成されたＬ字状の溝内に、他方に形成されたピンを移動可能に挿入し、溝内におけるピンの位置に応じて下蓋３とリンク機構４等との連結位置が変更されるようにして構成することも可能である。
【発明の効果】
【００２１】
以上の説明から明らかなように、本発明によれば、下蓋の閉塞操作性の良好な避難ハッチを提供することができ、保守点検や避難訓練の良好な実施を通じて避難ハッチの維持管理を向上させたり、また、使用者への使用方法の体得を良好にさせたりすることが可能になる。
【図面の簡単な説明】
【００２２】
【図１】本発明に係る避難ハッチを示す図で、（ａ）は避難梯子等を省略した開放状態の全体斜視図、（ｂ）は使用状態を示す斜視図である。
【図２】連結部の構造を説明する図で、（ａ）は不使用状態の避難ハッチの要部縦断面図、（ｂ）は（ａ）の２Ｂ-２Ｂ線要部断面図、（ｃ）は（ｂ）の２Ｃ-２Ｃ線断面図である。
【図３】連結部の構造を説明する図で、図２（ｃ）の３Ａ-３Ａ線断面図である。
【図４】避難ハッチの動作を説明する図で、不使用状態から上蓋を開閉操作したときのものである。
【図５】連結部の駆動構造を説明する図で、（ａ）は下蓋を開放操作したときの図２（ｃ）に対応する図、（ｂ）は（ａ）の要部斜視図、（ｃ）は（ａ）の５Ｃ方向矢視図である。
【図６】避難ハッチの動作とこれに伴う連結部の駆動構造を説明する図で、（ａ）は不使用状態から下蓋を開放操作したときの動作、（ｂ）は（ａ）の６Ｂ-６Ｂ線断面図である。
【図７】避難ハッチの動作とこれに伴う連結部の駆動構造を説明する図で、（ａ）は下蓋の開放後に上蓋を開放操作する過程の動作を示す図、（ｂ）は（ａ）の７Ｂ-７Ｂ線断面図である。
【図８】避難ハッチの動作に伴う連結部の駆動構造を説明する図で、（ａ）は図７（ｂ）の８Ａ-８Ａ線断面図であってレバースプリングを省略した図、（ｂ）は（ａ）に対応する図で上蓋の開放操作がより進行したときのものある。
【図９】避難ハッチの動作とこれに伴う連結部の駆動構造を説明する図で、（ａ）は下蓋の開放後に上蓋を開放操作したときの要部斜視図、（ｂ）は上蓋の開放後における閉塞動作を示す図である。
【発明を実施するための最良の形態】
【００２３】
図１ないし図９に本発明の実施の形態を示す。なお、以下の説明においては図１（ｂ）に示すような設置状態を基準にして上下を定義する。図１（ａ）に示すように、この実施の形態において避難ハッチＡは、内部に避難用開口２０が形成されたハッチ枠１と、このハッチ枠１に垂直回転自在に連結されて避難用開口２０の上部開放端を開閉可能な上蓋２と、上記ハッチ枠１に垂直回転自在に連結されて避難用開口２０の下部開放端を開閉可能な下蓋３とを有する。
【００２４】
上記ハッチ枠１は、図１（ａ）、図２、および図３に示すように、内部を上下に貫通する避難用開口２０が形成された四角筒状の本体部２１と、この本体部２１の外周から外方、すなわち水平方向に向かって全周に渡って張り出す鍔部２２とを有し、ステンレスの板材を折り曲げ、溶接、ボルト止め等して略四角筒状に形成される。上記本体部２１には、一側壁２１ａの上部外周側において上蓋２を垂直回転自在に軸支する上蓋回転軸２３が支持され、また、上記一側壁２１ａに隣接する他の側壁の一対２１ｂ、２１ｃには、それぞれの下部内周側の上記一側壁２１ａに近接する位置において下蓋３を垂直回転自在に軸支する有頭ピン状の下蓋回転軸２４が上蓋回転軸２３とほぼ平行に支持される。
【００２５】
また、上記鍔部２２は、本体部２１の上端よりもやや低い位置と、下端との２箇所に配置される。本体部２１の上部寄りに配置される鍔部２２Ａは、開放端を本体側に向けた断面コ字形状をなして上下方向に適宜の長さを備え、一方、本体部２１の下端に配置される鍔部２２Ｂはほぼ板状をなす。
【００２６】
なお、図１（ａ）は発明の理解をしやすくするために避難ハッチＡが備える避難梯子２５等を省略して表記したもので、上記ハッチ枠１には、図１（ｂ）や図２（ａ）に示すように、ボルトナットからなる梯子装着部２６、この梯子装着部２６に装着されるパンタグラフ状の折畳式避難梯子２５、上記梯子装着部２６に避難梯子２５とともに装着されて避難梯子２５の展開速度を緩衝する緩降器２７、およびチャイルドロック２８が装着され、ハッチ枠１は折畳式避難梯子２５の収納部としても機能する。
【００２７】
上記上蓋２は、図１（ａ）および図２（ａ）に示すように、上述した避難用開口２０の開口広さよりもやや大きい矩形状の板部２ａの外周縁から該板部２ａに対して直交方向に側片２ｂを延設して形成され、上述したハッチ枠１同様ステンレスの板材を折り曲げ等して製せられる。この上蓋２は、一辺縁部の裏面側において上述した上蓋回転軸２３に垂直回転自在に軸支され、さらに、裏面の中央部には、避難用開口２０を上蓋２によって閉塞したときにハッチ枠１内に突出し、上蓋２を避難用開口２０側から開くときの手掛けとなる把手２９が形成される。以上の上蓋２は、上記板部２ａをハッチ枠１の上面に沿わせるようにして避難用開口２０を閉塞する閉塞位置をとるときに、板部２ａの裏面がハッチ枠１の上端に当接して支持される。また、上記上蓋回転軸２３によって上蓋２が軸支される位置は、上記閉塞位置から、少なくとも板部２ａをハッチ枠１上面に対して直交させ、避難用開口２０を開放させる開放位置までの間で上蓋２が回転できるように設定され、例えば、この回転に際して上蓋２の上蓋回転軸２３側の端部が上述した鍔部２２Ａに衝接したり、上記側片２ｂがハッチ枠１の上蓋回転軸２３側の側壁２１ａや上記鍔部２２Ａに衝接したりしないように設定される。
【００２８】
また、上蓋２の上蓋回転軸２３側の辺縁に対向する辺縁の中央部、すなわち上蓋回転軸２３を中心に回転する上蓋２の回転先端側の辺縁中央部においては、側片２ｂが板部２ａに対して鈍角をなす方向に折曲され、避難用開口２０を閉塞する上蓋２を外側から開くときの手掛けとして利用可能な手掛け部３０が形成される。なお、上蓋２の回転先端側の裏面には、図２（ａ）に示すように上述したチャイルドロック２８のロック受け２８ａが固定される。このロック受け２８ａにはチャイルドロック２８のロック片２８ｂが係止され、このロック片２８ｂがロック受け２８ａへの係止位置と被係止位置との間で回転操作自在で、かつ、上蓋２の開放駆動方向に所定長の範囲で移動可能に形成されることにより、上蓋２を少し開けた状態でロック片２８ｂを手動で回転操作することによりチャイルドロック２８のロックを解除することができる。
【００２９】
上記下蓋３は、図１（ａ）、図２、および図３に示すように、上述した避難用開口２０の開口広さとほぼ同じ程度の大きさの矩形状の板部３ａの対向側縁から一対の側片３ｂ、３ｂを上記板部３ａの直交方向に延設して形成され、上述したハッチ枠１同様ステンレスの板材を折り曲げ等して製せられる。また、上記側片３ｂの一対は、該側片３ｂが延設されない板部３ａの一側縁寄りの位置において上述した下蓋回転軸２４に軸支される。この下蓋回転軸２４を中心に回転する下蓋３の回転先端側には、ハッチ枠１の下端に配置された鍔部２２Ｂに対して上記板部３ａがほぼ同一面上に位置して下蓋３が避難用開口２０を閉塞する閉塞位置をとるときに、鍔部２２Ｂの下面に対して上面が当接する覆い片３ｃが形成される。以上の下蓋３も上述した上蓋２同様、下蓋回転軸２４によって軸支される位置が、上記閉塞位置と、少なくとも板部３ａをハッチ枠１下面に対して直交させ、避難用開口２０を開放させる開放位置との間で下蓋３が回転できるように設定され、例えば、この回転に際して下蓋３の下蓋回転軸２４側の端部がハッチ枠１の下蓋回転軸２４側の側壁２１ａに衝接したりしないように設定される。なお、図２（ｂ）において下蓋回転軸２４の下蓋３側の先端部に形成される２４ａは、バネ受け片である。  
【００３０】
したがって避難ハッチＡは、ハッチ枠１の一側壁２１ａの上下端部を中心にして上蓋２と下蓋３がそれぞれ垂直回転自在にされ、上蓋２と下蓋３のそれぞれをハッチ枠１の上下面に対する平行姿勢と直交姿勢との間で移動させて避難用開口２０を開閉することができる。図１（ｂ）に示すようにハッチ枠１を上層階のベランダ等のスラブ３１に対して上下に貫通させて設置すれば、避難用開口２０を開放し、ハッチ枠１内の避難梯子２５を展開することにより、上層階のベランダ等の真下に位置する下層階のベランダ等のスラブ３２までの上層階からの避難経路を形成することができる。
【００３１】
上述した避難用開口２０の開閉操作性をより高めるために、以上の避難ハッチＡには、複数のリンク７を垂直回転自在に連結して形成されて上蓋２と下蓋３との間に介装されるリンク機構（連結部４）が組み込まれるとともに、下蓋３側からの下蓋３の開放操作を可能にする操作部３３が形成される。
【００３２】
上記リンク機構４は、図１（ａ）および図２（ａ）に示すように、避難用開口２０を跨ぐ対称位置に一対設けられる。各リンク機構４は４段のリンク７、７・・からなり、リンク７、７同士を垂直回転自在に連結する接合ピン８を利用して上蓋２、下蓋３、およびハッチ枠１のそれぞれに対しても垂直回転自在に連結される。このリンク機構４は、一端部が上蓋２に連結される上蓋側リンク７Ａと、この上蓋側リンク７Ａの他端部に対して一端部が連結されるとともに、中間部がハッチ枠１に連結されるハッチ枠側リンク７Ｂと、このハッチ枠側リンク７Ｂの他端部に対して一端部が連結されるとともに、他端部が下蓋３に連結、あるいは連結解除される中間リンク７Ｃと、この中間リンク７Ｃの他端部に一端部が連結されるとともに、他端部が下蓋３に連結される下蓋側リンク７Ｄとを有する。
【００３３】
上記上蓋側リンク７Ａは直線状をなし、上蓋２の回転基端と回転先端の中央よりもやや回転基端寄りの位置で上蓋２に連結される。上記ハッチ枠側リンク７ＢはＬ字状をなし、折曲部分においてハッチ枠１に連結される。また、ハッチ枠１におけるハッチ枠側リンク７Ｂとの連結位置は、ハッチ枠１の上蓋回転軸２３側の端部と、反対端部との中央よりも上蓋回転軸２３側の端部寄りの位置にされる。
【００３４】
上記中間リンク７Ｃは、クランク状をなし、下蓋３の回転基端と回転先端の中央よりもやや回転基端寄りの位置で下蓋３に連結され、あるいは連結解除される。上記下蓋側リンク７Ｄは、直線状をなし、上述した下蓋回転軸２４によって下蓋３に連結される。
【００３５】
また、上述した中間リンク７Ｃの下蓋３との連結、連結解除を可能にするために、中間リンク７Ｃと下蓋側リンク７Ｄは、水平方向に揺動、移動可能に形成される。この水平方向への揺動、移動を可能にするために、中間リンク７Ｃの一端部に形成される図示しない接合ピン挿入孔９は、ハッチ枠側リンク７Ｂを中間リンク７Ｃに連結する接合ピン８にルーズに連結される、すなわち接合ピン８の外径が接合ピン挿入孔の内径よりもやや小さくされ、また、接合ピン８が中間リンク７Ｃやハッチ枠側リンク７Ｂを接合ピン８長手方向である水平方向にやや移動可能に支持する。同様に、下蓋側リンク７Ｄの他端部に形成される図示しない下蓋回転軸挿入孔は、下蓋回転軸２４にルーズに連結される。なお、以上において述べた図示しない接合ピン挿入孔等のサイズは、やや小さなものであるために詳細な図示を避ける。
【００３６】
したがって中間リンク７Ｃは、該中間リンク７Ｃをハッチ枠側リンク７Ｂと連結する接合ピン８との連結位置を中心にして板厚方向に所定角度傾斜するなどして他端部を水平方向に揺動させることができ、また、上記接合ピン８に沿って水平方向に移動することができる。同様に下蓋側リンク７Ｄは、該下蓋側リンク７Ｄを下蓋３と連結する下蓋回転軸２４との連結位置を中心にして板厚方向に所定角度傾斜するなどして一端部を水平方向に揺動させることができ、また、上記接合ピン８に沿って水平方向に移動することができる。
【００３７】
以上の水平方向への揺動、移動によって中間リンク７Ｃの他端部、あるいは下蓋側リンク７Ｄの一端部を下蓋３と連結、連結解除するために、中間リンク７Ｃと下蓋側リンク７Ｄとを連結する接合ピン８（係止部５）は、中間リンク７Ｃ、あるいは下蓋側リンク７Ｄから水平方向に突出して形成されるとともに、中間リンク７Ｃに対して溶接固定されて一体にされる。図２（ｂ）や図３に示すように、中間リンク７Ｃや下蓋側リンク７Ｄが下蓋３の側片３ｂよりも内側に配置され、また、中間リンク７Ｃが下蓋側リンク７Ｄよりもさらに内側に配置されるこの実施の形態において、上記接合ピン８は、上述した水平方向への揺動等によって中間リンク７Ｃ等が側片３ｂに近接する位置をとるときに、中間リンク７Ｃよりも外側に配置された下蓋側リンク７Ｄを貫通して側片３ｂを越える位置まで中間リンク７Ｃから外側に突出する長さに形成される。中間リンク７Ｃの下蓋３との連結は、このようにして接合ピン８が下蓋３に形成された接合ピン挿入孔（ピン挿入孔９）に挿入されることによりなされる。また、上記接合ピン８は、上述した水平方向への揺動等によって中間リンク７Ｃ等が側片３ｂから離隔する位置をとるときに、接合ピン挿入孔９から抜去される長さに形成される。
【００３８】
また、このように接合ピン８を接合ピン挿入孔９から抜去させた後、中間リンク７Ｃの他端部（あるいは下蓋側リンク７Ｄの一端部）が下蓋３から離れる方向に回転して接合ピン８が接合ピン挿入孔９に対峙しなくなれば、仮に中間リンク７Ｃ等の傾斜等が解除されて接合ピン８が外側に移動したとしても接合ピン挿入孔９には進入できず、中間リンク７Ｃが下蓋３と連結されることはない。このような中間リンク７Ｃの他端部の下蓋３との連結解除状態からの連結状態への復帰を可能にするために、下蓋側リンク７Ｄはねじりバネ６によって付勢されるとともに、係止片３４が形成され、また、上述した接合ピン８の先端には傾斜面１０が形成される。
【００３９】
上記ねじりバネ６は、図２（ｂ）に示すように、一端部の脚部６ａが下蓋側リンク７Ｄの中間部に、他端部の脚部６ｂが下蓋３に係止され、下蓋側リンク７Ｄの一端部（中間リンク７Ｃの他端部）を下蓋３に近接する回転方向に付勢する。また、ねじりバネ６は、コイル部６ｃを下蓋回転軸２４に巻装して下蓋回転軸２４に装着され、この下蓋回転軸２４に形成される上述したバネ受け片２４ａによって長手方向一端が支えられ、長手方向他端が下蓋側リンク７Ｄの内側壁面に圧接し、下蓋側リンク７Ｄの他端部を下蓋３の側片３ｂに向かって付勢する。
【００４０】
上記係止片３４は、図２（ｂ）および（ｃ）、図３に示すように、下蓋側リンク７Ｄの一端部寄りの位置に配置され、上述した中間リンク７Ｃの接合ピン８が接合ピン挿入孔９に対峙する位置をとるときに下蓋３の側片３ｂの上端に係止して中間リンク７Ｃや下蓋側リンク７Ｄの回転を規制する。この係止片３４は、接合ピン８から離れるに従って下蓋３の側片３ｂ側への突出量を漸次拡大して形成され、上述した操作部３３の回転レバー３５の回転軌跡にほぼ沿う方向に延びる。
【００４１】
上記傾斜面１０は、中間リンク７Ｃの他端部の下蓋３側への回転によって接合ピン８の先端が側片３ｂの上端に衝接すると、この中間リンク７Ｃの回転駆動力によって中間リンク７Ｃや下蓋側リンク７Ｄを側片３ｂから離れる方向に押し出す分力を生じさせる方向に傾斜した面により構成される。したがって上述したねじりバネ６の回転方向への付勢によって中間リンク７Ｃの他端部が下蓋３側に回転し、接合ピン８の先端が側片３ｂに衝接すると、上記傾斜面１０の作用によって中間リンク７Ｃ等が側片３ｂから離れる方向に移動し、この後さらにねじりバネ６の回転方向への付勢によって中間リンク７Ｃ等が回転して接合ピン８が接合ピン挿入孔９に対峙する位置になると、係止片３４が側片２ｂに係止してねじりバネ６の付勢によるによる中間リンク７Ｃの回転が停止されるとともに、ねじりバネ６のコイル部６ｃ長手方向への付勢によって下蓋側リンク７Ｄが側片２ｂに向かって押され、これにより接合ピン８が接合ピン挿入孔９に進入する。
【００４２】
したがって以上のリンク機構４は、中間リンク７Ｃの他端部を下蓋３に連結させることにより、各リンク７が一定の揺動軌跡上を揺動して図２（ａ）に示す折畳姿勢から図４に示す伸長姿勢まで変形することができ、上蓋２と下蓋３のいずれか一方への閉塞位置と開放位置との間の回転操作力を他方３、２に対して閉塞位置と開放位置との間の回転駆動力として伝達することができる。このため例えば、上述した手掛け部３０に手を掛けて上蓋２を開放操作すれば、下蓋３も開放駆動することができる。
【００４３】
一方、上記操作部３３は、図２（ｂ）、（ｃ）、および図３に示すように、下蓋３に垂直回転自在に連結される回転レバー３５を有し、該回転レバー３５の一端部から下方に垂下する操作索３６への引っ張り操作により回転レバー３５が回転されると、上述した中間リンク７Ｃの接合ピン８を下蓋３の接合ピン挿入孔９から抜去させる。この操作部３３は上述したリンク機構４の各々に対応して避難用開口２０を跨ぐ位置に一対設けられ、一方の操作部３３の回転レバー３５は、後述するレバーピン３９によって他方の操作部３３の回転レバー３５に連結されて連動する。このため、上述した操作索３６はいずれか一方の操作部３３にのみ設けられる。
【００４４】
上記回転レバー３５は、一端部に上述した操作索３６が連結されたほぼ細長い板状のレバー本体部３７と、この本体部２１の他端部側に形成される押し出し片３８とを有し、上記レバー本体部３７の長手方向中間部がレバーピン３９によって下蓋３の側片３ｂに対して垂直回転自在に連結される。この回転レバー３５は側片３ｂの外周側に配置され、また、上記レバーピン３９は、接合ピン挿入孔９よりも下蓋３の回転基端側にややずれた位置で下蓋３に支持される。
【００４５】
上記押し出し片３８は、レバー本体部３７の長手方向に沿って所定長に渡って形成される。この押し出し片３８はレバー本体部３７に対して直交する方向に延設され、脚部４０ａの一端部が下蓋３に係止されるトーションスプリングからなるレバースプリング４０の他端部の脚片４０ｂが係止される。これにより回転レバー３５は、操作索３６を引っ張ることにより回転する方向とは反対方向にレバースプリング４０によって付勢される。さらに、回転レバー３５は、レバーピン３９よりもやや操作索３６側にずれた位置において下蓋３に対して下面側から被さる回転規制片４１を有し、この回転規制片４１によって上述したレバースプリング４０による付勢方向への回転が規制され、図２（ｃ）に示すように、押し出し片３８が側片２ｂの上縁とほぼ高さ位置となる所定姿勢に保持される。この状態で押し出し片３８は上述した下蓋側リンク７Ｄの係止片３４の直下に位置する。
【００４６】
したがって図５に示す様にレバースプリング４０の付勢力に抗して操作索３６を引っ張ると、押し出し片３８が、上述したように側片３ｂから外側に飛び出す下蓋側リンク７Ｄの係止片３４の突出先端縁に圧接する。ここからさらにねじりバネ６のコイル部６ｃを圧縮するに十分な力で操作索３６を引っ張れば、押し出し片３８が上記突出先端縁を回転に伴って摺接するようにして移動し、上記コイル部６ｃを圧縮させて下蓋側リンク７Ｄを漸次内側に押動することができる。これにより下蓋側リンク７Ｄの内側に配置される中間リンク７Ｃも内側に移動し、中間リンク７Ｃに一体に形成された接合ピン８が接合ピン挿入孔９から抜去される。
【００４７】
以上のようにして中間リンク７Ｃの下蓋３との連結が解除されると、下蓋３は、図６（ａ）に示すように、自重により下蓋回転軸２４を中心に下方に向かって回転し、避難用開口２０の下端開放端が開放される。この下蓋３の下方への移動に際してはリンク機構４が揺動することはなく、上述したような下蓋３と上蓋２との間での駆動力の伝達がなされることもない（伝達不能姿勢）。また、下蓋３の下方への移動は上述したねじりバネ６の付勢力に抗してなされ、したがってねじりバネ６によって下蓋３の回転移動速度が減速される。また、図２（ｃ）に示すように、下蓋３の回転基端側には係合片４２が形成され、ハッチ枠１には下蓋３の開放動作に伴って回転する上記係合片４２に衝接するバネ片４３が固定され、下蓋３の開放動作は、バネ片４３の弾性変形を伴う係合片４２の回転移動によっても減速される。
【００４８】
また、以上のようにして下蓋３が降下してしまうと、係止片３４は押し出し片３８による押し込み力から解放され、これにより図６（ｂ）に示すように、ねじりバネ６のコイル部６ｃが弾性復帰する。この後、把手２９を利用するなどして上蓋２を開放操作すれば、図７に示すように、上蓋２の回転とともにリンク機構４が揺動し、この揺動過程において中間リンク７Ｃの他端部の接合ピン８は、下蓋３の接合ピン挿入孔９に向かって移動して側片３ｂの上端に衝接する。図８（ａ）に示すように、このとき接合ピン８は側片３ｂに対して傾斜面１０で衝接することから、図８（ｂ）に示すように中間リンク７Ｃは内側に押され、この後リンク機構４がさらに揺動すると、図９（ａ）に示すように接合ピン８が接合ピン挿入孔９に進入する。
【００４９】
この接合ピン８の接合ピン挿入孔９への進入により、リンク機構４は上蓋２と下蓋３の間で緊張した状態になり、上蓋２と下蓋３の間で駆動力を伝達可能になる（伝達可能姿勢）。したがってこの後、図９（ｂ）に示すように上蓋２を閉塞操作すれば、リンク機構４によって下蓋３も閉塞駆動させることができる。
【符号の説明】
【００５０】
１  ハッチ枠
２  上蓋
３  下蓋
４  連結部
５  係止部
６  ねじりバネ
７  リンク
８  接合ピン
９  ピン挿入孔
１０  傾斜面
【図１】
0005828777.tif 000002
【図２】
0005828777.tif 000003
【図３】
0005828777.tif 000004
【図４】
0005828777.tif 000005
【図５】
0005828777.tif 000006
【図６】
0005828777.tif 000007
【図７】
0005828777.tif 000008
【図８】
0005828777.tif 000009
【図９】
0005828777.tif 000010